(57)【要約】【課題】防火ダンパーを備えつつも設置自由度の高い、床吹出し空調システムを提供する。【解決手段】床吹出し空調システム１０は、下階Ｆｂに空調ダクト２１を備えた床吹出し空調システム１０であって、床スラブ２の貫通孔２ｈ内に設置されて、床スラブ２の下側から上側へ通風させる、防火ダンパー１３を有するベント装置１１と、ベント装置１１に接続される空調ダクト２１と、を備え、ベント装置１１は、円筒状の管部１２ａと、管部１２ａの上端部から半径方向に突出するつば部１２ｂを備え、つば部１２ｂが床スラブ２に係止される。【選択図】図１
2020076553.tif 000002
【特許請求の範囲】
【請求項１】
下階に空調ダクトを備えた床吹出し用の空調システムであって、
床スラブの貫通孔内に設置されて、前記床スラブの下側から上側へ通風させる、防火ダンパーを有するベント装置と、
当該ベント装置に接続される前記空調ダクトと、を備え、
前記ベント装置は、円筒状の管部と、当該管部の上端部から半径方向外側に突出するつば部とを備え、前記つば部が前記床スラブに係止される
ことを特徴とする床吹出し空調システム。
【請求項２】
前記防火ダンパーは、前記管部内に設けられて火災時に当該管部を遮蔽する、板状の扉を備え、
前記管部の外周面に保温材が設けられている
ことを特徴とする請求項１に記載の床吹出し空調システム。
【請求項３】
前記つば部の上には、飛散物の落下防止材が取り付けられている
ことを特徴とする請求項１または２に記載の床吹出し空調システム。
【発明の詳細な説明】
【技術分野】
【０００１】
本発明は、建物内の床スラブを挟んだ下階側に空調装置に接続された空調ダクトが設けられた床吹出し空調システムである。
【背景技術】
【０００２】
オフィス用途のビルディング等においては、床スラブと、床スラブの上方に間隔をあけて設けられた床パネルと、を備える二重床が多用されている。床パネルは、床スラブ上に立設した複数本の支柱上に支持されている。これにより、床スラブと床パネルとの間に床下空間が形成され、この床下空間に、各種の配線等を収容可能となっている。また、床下空間に、空調システムが設けられることもある。
【０００３】
例えば特許文献１には、床スラブと床パネルとの間の床下空間に、空調機器からの空調空気が流れるダクトを設け、床パネルに設けられた吹出口を通じて、ダクト内を流れる空気を室内に吹き出す構成が開示されている。
しかしながら、特許文献１に開示されたような構成では、床スラブの上面に沿って連続するダクトが設けられることで、床下空間に収容する配線等と干渉し、床下空間内のメンテナンス等を行いにくいという課題があった。
【０００４】
これに対し、特許文献２には、床スラブと床パネル（ＯＡフロア）との間の床下区間に、空調機より送られてくる空調空気（冷気または暖気）が供給され、床パネルに設けられた床吹出口から、床下空間の空調空気が室内に吹き出す構成が開示されている。
【０００５】
また、特許文献３には、下階の天井裏空間に配置された空調室内機から、ダクトを通して、床スラブと床パネルとの間の床下空間に空調空気が供給される構成が開示されている。床下空間の空調空気は、床パネルに設けられた吐出口から室内に吹き出す。
しかしながら、特許文献３に開示されたような構成では、ダクトは、床スラブを上下方向に貫通して設けられている。このため、火災発生時に、ダクトを介して床スラブを挟んだ上下階が連通してしまうので、防災計画の面から、上階と下階との間に防火区画を形成する必要があった。
そこで、ダクトに対し、ダクトの上方または下方に防火ダンパーが設けられていた。具体的には、ダクトの上方側または下方側に設ける防火ダンパーは、床スラブの上側の床下空間、又は床スラブの下側の下階の天井裏空間に位置することになり、床下空間、天井裏空間の有効利用やメンテナンスの妨げとなる場合があった。また、床下空間や天井裏空間に設けられた他の機器や部材との干渉を避けるため、床下空間、または天井裏空間を高くする必要があり、かつ防火ダンパーの設置位置が制限される場合がある。
【先行技術文献】
【特許文献】
【０００６】
【特許文献１】国際公開第２０１１／０１３７４３号
【特許文献２】特開２００８−３２２５５号公報
【特許文献３】特開２０１５−７３３５号公報
【発明の概要】
【発明が解決しようとする課題】
【０００７】
本発明が解決しようとする課題は、防火ダンパーを備えつつも設置自由度の高い、床吹出し空調システムを提供することである。
【課題を解決するための手段】
【０００８】
本発明者らは、建物の下階側に空調機や空調ダクトが設けられた空調方式を対象に、床スラブの躯体内部に防火ダンパーを設置することで、床スラブの上面側の床下空間、または下面側の天井裏空間に防火ダンパーを設置することなく、床組や天井構造が簡素化でき、かつ建物の下階側と当該階とを防火区画（水平区画）できる点に着眼して、床吹出し用空調システムを発明するに至った。
本発明は、上記課題を解決するため、以下の手段を採用する。
すなわち、本発明の床吹出し空調システムは、下階に空調ダクトを備えた床吹出し用の空調システムであって、床スラブの貫通孔内に設置されて、前記床スラブの下側から上側へ通風させる、防火ダンパーを有するベント装置と、当該ベント装置に接続される前記空調ダクトと、を備え、前記ベント装置は、円筒状の管部と、当該管部の上端部から半径方向外側に突出するつば部とを備え、前記つば部が前記床スラブに係止されることを特徴とする。
このような構成によれば、床スラブに形成された貫通孔内に、防火ダンパーを有するベント装置を設けることで、床スラブの上側や下側に防火ダンパーを設置することなく、上階と下階とを区切る床スラブ内に防火区画を形成することができる。これにより、床スラブの上側の床下空間や、床スラブの下側の天井裏空間に防火ダンパーが配置する必要がなくなる。したがって、防火ダンパーを配置するに際し、他の部材等との干渉を避ける必要も無く、防火ダンパーを有するベント装置の設置位置の自由度が高まる。また、防火ダンパーが床スラブの上側や下側に突出することはなく、床下空間や天井裏空間の有効利用やメンテナンス性の向上を図ることが可能となる。
また、ベント装置の管部に設けられたつば部を床スラブに係止させることで、床スラブの貫通孔内にベント装置の設置を容易かつ確実に行うことが可能となる。
【０００９】
本発明の一態様においては、本発明の床吹出し空調システムは、前記防火ダンパーが、前記管部内に設けられて火災時に当該管部を遮蔽する、板状の扉を備え、前記管部の外周面に保温材が設けられている。
このような構成によれば、火災発生時には、板状の扉を閉じることで、防火区画（水平区画）を形成することができる。また、通常時は、板状の扉を開くことで、空調装置から送り出される空調空気を、空調ダクト及びベント装置を通して床下空間に供給することができる。管部の内側には、空調ダクトから送り込まれる空調空気が通るが、管部の外周面に保温材が設けられることで、空調空気の保温を図ることができる。
【００１０】
本発明の一態様においては、本発明の床吹出し空調システムは、前記つば部の上には、飛散物の落下防止材が取り付けられている。
このような構成によれば、ベント装置の管部に設けられたつば部の上に落下防止材を設けることで、床スラブの上側の床下空間からベント装置内に飛散物が侵入するのを防ぐことができる。
【発明の効果】
【００１１】
本発明によれば、防火ダンパーを備えつつも設置自由度の高い、床吹出し空調システムを提供することが可能となる。
【図面の簡単な説明】
【００１２】
【図１】本発明に係る床吹出し空調システムの構成を示す断面図である。
【図２】図１の床吹出し空調システムにおいて、床スラブに設けられたベント装置を示す部分断面図である。
【図３】図２に示すベント装置のＩ−Ｉ矢視断面図である。
【図４】図３に示すベント装置の扉が開いた状態（貫通孔を閉塞した状態）を示す部分断面図である。
【図５】図４に示すベント装置のＩＩ−ＩＩ矢視断面図である。
【図６】ベント装置を構成するアウター部材の模式図である。
【発明を実施するための形態】
【００１３】
本発明は、建物の床スラブを挟んだ下階側に設けられた空調ダクトと、当該空調ダクトに接続される床スラブの躯体内部に設けられた防火ダンパーを有するベント装置と、で構成される床吹出し空調システムである。
以下、添付図面を参照して、本発明による床吹出し空調システムを実施するための形態について、図面に基づいて説明する。
本発明に係る床吹出し空調システムの構成を示す断面図を図１に示す。
図１に示されるように、床吹出し空調システム１０は、オフィス用のビルディング等の建物１に設けられる。建物１は、上下方向に間隔をあけて複数の床スラブ２を有する。床スラブ２は、例えば鉄筋コンクリート等から形成され、上下方向に所定の厚さを有して水平面内に設けられている。
床スラブ２の上方には、上下方向に間隔をあけて、上階Ｆａの床面を形成する床パネル３が設けられている。床パネル３は、床スラブ２上に立設された複数本の支柱４上に支持されている。これにより、建物１の各階には、床スラブ２と床パネル３とからなる二重床５が設けられている。床スラブ２の上側には、床スラブ２と床パネル３との間に、上階Ｆａの床下空間Ｓａが形成されている。
また、床スラブ２の下方には、上下方向に間隔をあけて、下階Ｆｂの天井面を形成する天井パネル６が設けられている。天井パネル６は、床スラブ２の下面に設けられた複数の吊金具７の下端に支持されている。床スラブ２の下側には、床スラブ２と天井パネル６との間に、下階Ｆｂの天井裏空間Ｓｂが形成されている。
【００１４】
床吹出し空調システム１０は、空調装置（図示無し）と、空調ダクト２１と、ベント装置１１と、通風管２５と、を主に備えている。
空調装置（図示無し）は、冷房運転、暖房運転等を実行し、所定の温度に調整された空調空気を、空調ダクト２１に送り込む。空調ダクト２１は、天井裏空間Ｓｂ内に設けられている。空調ダクト２１は、例えば断面矩形の角管状で、床スラブ２の下面に、図示しない吊金具等を介して支持されている。空調ダクト２１が配置された天井裏空間Ｓｂは、配線レイアウト変更等のために度々作業が行われる可能性のある床下空間Ｓａに比較すると、メンテナンス等の作業が行われる頻度が少ない。このため、空調ダクト２１を天井裏空間Ｓｂ内に配置することで、床下空間Ｓａに懐（空間）高さを低く抑えた床構造（特に、２重床構造）を設置でき、かつ床構造の改修作業も容易に行うことができる。
【００１５】
図１の床吹出し空調システム１０において、床スラブに設けられたベント装置を示す断面図を図２に示す。図２のＩ−Ｉ矢視断面図を図３に示す。図３のベント装置の扉が開いた状態（貫通孔を閉塞した状態）を示す断面図を図４に示す。図４のＩＩ−ＩＩ矢視断面図を図５に示す。本実施形態においてベント装置が備えるアウター部材の斜視図を図６（ａ）に、平面図を図６（ｂ）に示す。
図２、図３に示されるように、ベント装置１１は、床スラブ２を上下に貫通するよう形成された貫通孔２ｈ内に設置されている。ベント装置１１は、アウター部材１２と、防火ダンパー１３と、保温材１４と、を備えている。
アウター部材１２は、図６（ａ）に示すように上下方向に延びる円筒状の管部１２ａと、管部１２ａの上端部から半径方向外側に突出する円環状のつば部１２ｂと、を一体に備えている。管部１２ａは、貫通孔２ｈの内径よりも所定寸法小さな外径を有し、貫通孔２ｈ内に挿入されて床スラブ２を上下に貫通するよう設けられている。つば部１２ｂは、貫通孔２ｈの内径よりも所定寸法大きな外径を有している。つば部１２ｂは、その外周部を、貫通孔２ｈの半径方向外側で床スラブ２の上面に突き当て、ビス等の固定部材１２ｃを、図６（ａ）、（ｂ）に示されるつば部１２ｂに形成された固定用孔１２ｈを挿通させて、床スラブに固定されている。これにより、アウター部材１２は、つば部１２ｂが床スラブ２に係止されて設けられている。
【００１６】
保温材１４は、アウター部材１２の管部１２ａの外側に設けられている。保温材１４は、管部１２ａの外周面を周方向全体で覆うように設けられている。このような保温材１４は、例えば、断熱性、耐熱性、耐燃性を有したロックウール等によって形成されている。保温材１４は、管部１２ａの内側を通る空調空気の保温を図る。保温材１４は、管部１２ａの外周面に予め装着しておくのが好ましい。
【００１７】
防火ダンパー１３は、アウター部材１２の管部１２ａの内側に設けられている。防火ダンパー１３は、上下方向に延びる円筒状のダンパーハウジング１６と、ダンパーハウジング１６内に設けられた扉１７と、を備えている。
ダンパーハウジング１６は、アウター部材１２の管部１２ａの内側に挿入されている。ダンパーハウジング１６とアウター部材１２の管部１２ａとは、これらを径方向に、ダンパーハウジング１６の内側から管部１２ａへ向けて貫通するビス１６ｂによって連結されている。ダンパーハウジング１６が内側からビス止めされることで、防火ダンパー１３を容易に交換可能である。
扉１７は、略半円形の扉板１７ａを二枚一対で備えている。二枚の扉板１７ａは、ダンパーハウジング１６の中心を通って径方向に延びるよう設けられた支持軸１７ｓを中心として回動可能に設けられている。二枚の扉板１７ａは、支持軸１７ｓから上方に延びるように、互いに重ね合わせた状態で、温度ヒューズ１８によって挟持されている。温度ヒューズ１８は、雰囲気温度が予め定められた所定値以上となると溶融する。二枚の扉板１７ａは、図示しないスプリング等の付勢部材によって、互いに重ね合わせた状態から開く方向に付勢されている。
【００１８】
図２、図３に示されるように、防火ダンパー１３は、通常時は、二枚の扉板１７ａが支持軸１７ｓから上方に延びるように互いに重ね合わせた状態とされている。この状態で、ダンパーハウジング１６内は、床スラブ２の上側の床下空間Ｓａと床スラブ２の下側の天井裏空間Ｓｂとが連通し、その内側を、空調ダクト２１から通風管２５を通して送り込まれる空調空気が通風可能となっている。
また、図４、図５に示されるように、防火ダンパー１３は、火災時に雰囲気温度が予め定められた所定値以上となると温度ヒューズ１８が溶融し、二枚の扉板１７ａの挟持を解放する。温度ヒューズ１８による挟持から解放された二枚の扉板１７ａは、付勢部材の付勢力によって支持軸１７ｓを中心として開き、ダンパーハウジング１６の内周面に設けられたストッパー部１６ｓに突き当たる。二枚の扉板１７ａは、その外周部がストッパー部１６ｓに突き当たって開いた状態で、ダンパーハウジング１６内を遮蔽し、上階Ｆａの床下空間Ｓａと、下階Ｆｂの天井裏空間Ｓｂとを区画する。
【００１９】
このような防火ダンパー１３を有するベント装置１１は、貫通孔２ｈに設けられたスリーブ部材１５の内側に、上方から挿入することで設置されている。スリーブ部材１５は、円筒状で、貫通孔２ｈの内周面に接するように設けられている。スリーブ部材１５は、金属製のスパイラルダクト管からなり、アウター部材１２の管部１２ａ及び保温材１４の外径よりも大きな内径を有している。スリーブ部材１５は、床スラブ２を形成するコンクリートを打設する際に、コンクリート中に打ち込んで設けられている。
このように、貫通孔２ｈ内の最外縁にスリーブ部材１５を配置し、そのスリーブ部材１５の内側にベント装置１１を構成するアウター部材１２を設けて、前記スリーブ部材１５と前記アウター部材１２との間に保温材１４を配置する。貫通孔２ｈ内の最外縁にスリーブ部材１５を配置し、そのスリーブ部材１５の内側に保温材１４付きのベント装置１１を設置することで、貫通孔２ｈのほぼ中央にベント装置１１を確実に設置できる。また、ベント装置１１は、外側にスリーブ部材１５を配置した２重管構造とすることで、地震荷重に対する耐震強度を高めることができる。
また、防火ダンパー１３のアウター部材１２のつば部１２ｂ上には、飛散物の落下防止材１９が設けられている。落下防止材１９は、上下方向に延びる筒状のガード筒部１９ａと、ガード筒部１９ａの下端から径方向外側に広がる取付フランジ部１９ｂと、を一体に備える。落下防止材１９は、取付フランジ部１９ｂを、アウター部材１２のつば部１２ｂ上に設けたうえで、図６（ａ）、（ｂ）に示されるつば部１２ｂに形成された落下防止材固定用孔１２ｉにビス１９ｃを挿通させて、ビス１９ｃを保温材１４に固定することで設けられている。
【００２０】
このようなベント装置１１は、床スラブ２の複数個所に設けられている。図１に示されるように、各ベント装置１１と空調ダクト２１とは、通風管２５を介して接続されている。通風管２５は、蛇腹状でフレキシブル性を有し、その一端が空調ダクト２１に設けられた分岐口２１ｓに接続されている。通風管２５の他端は、ベント装置１１のアウター部材１２の管部１２ａに接続されている。通風管２５の外周面には、ロックウールの保温被覆材２６が設けられている。保温被覆材２６により、通風管２５内を通る空調空気の保温が図られている。
【００２１】
このような床吹出し空調システム１０では、空調装置（図示無し）から吐出される空調空気が、空調ダクト２１、通風管２５を通して、ベント装置１１の防火ダンパー１３のダンパーハウジング１６内に送り込まれる。ダンパーハウジング１６内を通り抜けた空調空気は、床スラブ２の上側の床下空間Ｓａ内に供給される。床下空間Ｓａ内の空調空気は、床パネル３に形成された吹出口９を通り、床パネル３の上方の室内空間Ｓｃに送り込まれる。
また、火災発生時には、温度ヒューズ１８が溶融することで二枚の扉板１７ａが開いてダンパーハウジング１６内が上下に遮断される。これにより、ベント装置１１の部分で、床スラブ２を挟んだ上階Ｆａと下階Ｆｂとが区画され、防火区画が形成される。
【００２２】
以下に、上記床吹出し空調システムの作用効果を述べる。
床吹出し空調システム１０は、下階Ｆｂに空調ダクト２１を備えた床吹出し空調システム１０であって、床スラブ２の貫通孔２ｈ内に設置されて、床スラブ２の下側から上側へ通風させる、防火ダンパー１３を有するベント装置１１と、ベント装置１１に接続される空調ダクト２１と、を備え、ベント装置１１は、円筒状の管部１２ａと、管部１２ａの上端部から半径方向外側に突出するつば部１２ｂを備え、つば部１２ｂが床スラブ２に係止される。
このような構成によれば、床スラブ２に形成された貫通孔２ｈ内に、防火ダンパー１３を有するベント装置１１を設けることで、床スラブ２の上側や下側に防火ダンパー１３を設置することなく、上階Ｆａと下階Ｆｂとを区切る床スラブ２に防火区画を形成することができる。これにより、床スラブ２の上側の床下空間Ｓａや、床スラブ２の下側の天井裏空間Ｓｂにおいて、防火ダンパー１３を設置するに際して、他の部材等との干渉を避ける必要も無く、ベント装置１１の設置位置の自由度を高めることができる。また、防火ダンパー１３が床スラブ２の上側や下側に突出することはなく、床下空間Ｓａや天井裏空間Ｓｂの有効利用や床上から床パネル３を外して容易にダンパー１３周囲の空間やダンパー１３本体のメンテナンスを行うことができる。したがって、防火ダンパー１３を備えつつも設置自由度の高い、床吹出し空調システム１０を提供することが可能となる。
また、ベント装置１１の管部１２ａに設けられたつば部１２ｂを床スラブ２に係止させることで、床スラブ２の貫通孔２ｈ内にベント装置１１の設置を容易かつ確実に行うことが可能となる。
【００２３】
また、床吹出し空調システム１０は、防火ダンパー１３を有しており、当該防火ダンパー１３は、管部１２ａ内に設けられて火災時に管部１２ａを遮蔽する、板状の扉１７を備え、管部１２ａの外周面に保温材１４が設けられている。
このような構成によれば、火災発生時には、板状の扉１７を閉じることで、防火区画（水平区画）を形成することができる。また、通常時は、板状の扉１７を開くことで、空調装置から送り出される空調空気を、空調ダクト２１及びベント装置１１を通して床下空間Ｓａに供給することができる。また、管部１２ａの外周面に保温材１４が設けられることで、管部１２ａの内側を通る空調空気の保温を図ることができる。これにより、ベント装置１１の部分において、空調空気の熱エネルギーが奪われるのを抑え、床吹出し空調システム１０における空調効率を高めることが可能となる。
【００２４】
また、床吹出し空調システム１０は、つば部１２ｂの上には、飛散物の落下防止材１９が取り付けられている。
このような構成によれば、ベント装置１１の管部１２ａに設けられたつば部１２ｂの上に筒状のガード筒部１９ａを備えた落下防止材１９を設けることで、床下空間Ｓａを移動してくる飛散物を筒状のガード筒部１９ａで受け止めることが可能であり、床スラブ２の上側の床下空間Ｓａからベント装置１１内に、各種の作業時等に飛散物が侵入するのを防ぐことができる。
【００２５】
なお、上記実施形態では、ベント装置１１を構成するアウター部材１２は、円筒状の管部１２ａと、当該管部１２ａの上端部から半径方向外側に突出する円環状のつば部１２ｂとで形成されているが、つば部１２ｂは、床スラブに係止できる形状であれば、図６（ｃ）、（ｄ）に斜視図と平面図を示すアウター部材１２Ａのように、円筒状の管部１２ａから連続する所定の間隔をあけて設けられた矩形板状材や棒状材１２ｄであっても良い。
また、上記実施形態では、ベント装置１１は、アウター部材１２と、防火ダンパー１３と、保温材１４と、で構成されているが、建物によっては、保温材のないアウター部材１２と、防火ダンパー１３で構成されるベント装置１１であっても良い。また、上記実施形態では、貫通孔２ｈの最外縁にスリーブ部材１５を設置し、当該スリーブ部材１５の内側に防火ダンパー１３を有するベント装置１１が設けられているが、スリーブ部材を設けることなく、貫通孔２ｈ内にベント装置を設置しても良い。
また、上記実施形態では、落下防止材１９は上部側が開放されているが、ベント装置の管部を覆うように小さな開口部を有する網材であってもよい。
【符号の説明】
【００２６】
２  床スラブ                        １７  扉
２ｈ  貫通孔                        １９  落下防止材
１０  床吹出し空調システム          ２１  空調ダクト
１１  ベント装置                    Ｆａ  上階
１２ａ  管部                        Ｆｂ  下階
１２ｂ、１２ｄ  つば部              Ｓａ  床下空間
１３  防火ダンパー                  Ｓｂ  天井裏空間
１４  保温材
【図１】
2020076553.tif 000003
【図２】
2020076553.tif 000004
【図３】
2020076553.tif 000005
【図４】
2020076553.tif 000006
【図５】
2020076553.tif 000007
【図６】
2020076553.tif 000008